(57)【要約】現場（５）で１つ以上のケーブル（２）、パイプまたはワイヤのシールされた設置に組み込まれる複数のトランジット要素（１０，２０，３０，４０；４２；４００）を有するタイプのケーブル、パイプまたはワイヤトランジット（１；１ａ・・・１ｎ）のモニタリングシステム（２）が開示される。各トランジット（１；１ａ・・・１ｎ）は、トランジットのケーブル、パイプまたはワイヤの設置がシールされているかまたは少なくとも潜在的にシールされていないかを示す状態を検出するように構成されたトランジットガードユニット（５０；５０ａ−５０ｎ；１５０；２５０；３５０；４５０）を有する。中央モニタリングユニット（７０）は、通信ネットワーク（６０；６０ｂ）を介して、トランジット（１ａ・・・１ｎ）のいずれかのトランジットガードユニット（５０）によって検出される状態に関する第１の情報（１１０，１１２）を得るように構成される。中央モニタリングユニット（７０）は、特定のトランジット（１ａ）を、得られた第１の情報（１１０）が、ケーブル、パイプまたはワイヤの設置がシールされていることを示すときに、第１の状態（緑色）にあるとして登録する、または、得られた第１の情報（１１２）が、設置が少なくとも潜在的にシールされていないことを示すときに、第２の状態（赤色）にあるとして登録する。特定のトランジット（１ａ）が第２の状態（赤色）にあるとき、中央モニタリングユニット（７０）は、特定のトランジット（１ａ）のトランジットガードユニット（５０ａ）によって検出される状態に関する第２の情報（１１４）を得る。得られた第２の情報が、トランジットのケーブル、パイプまたはワイヤの設置がシールされていることを示すときに、特定のトランジット（１ａ）の登録された状態が、第３の状態（黄色）に変えられる。中央モニタリングユニット（７０）は、各トランジット（１ａ・・・１ｎ）の登録された状態（緑色、赤色、黄色）を、モニタリングシステム（２）のユーザ（３，４）が入手できるようにする。【選択図】図６
2020528539.tif 000002
【特許請求の範囲】
【請求項１】
ケーブル、パイプまたはワイヤトランジット（１；１ａ・・・１ｎ）のモニタリングシステム（２）であって、現場（５）で１つ以上のケーブル（２）、パイプまたはワイヤのシールされた設置に組み込まれる複数のトランジット要素（１０，２０，３０，４０；４２；４００）を有するタイプのものであり、前記モニタリングシステムは、
各トランジット（１；１ａ・・・１ｎ）について、トランジットのケーブル、パイプまたはワイヤの設置が、シールされているかまたは少なくとも潜在的にシールされていないかを示す状態を検出するように構成されたトランジットガードユニット（５０；５０ａ−５０ｎ；１５０；２５０；３５０；４５０）であって、前記トランジットガードユニットは、通信ネットワーク（６０；６０ａ）に接続可能である、トランジットガードユニットと、
中央モニタリングユニット（７０）と、
を備え、
前記中央モニタリングユニット（７０）は、
通信ネットワーク（６０）または別の通信ネットワーク（６０ｂ）を介して、トランジット（１ａ・・・１ｎ）のいずれかのトランジットガードユニット（５０）によって検出された状態についての第１の情報（１１０，１１２）を得る；
得られた第１の情報（１１０）が、トランジットのケーブル、パイプまたはワイヤの設置がシールされていることを示すときに、特定のトランジット（１ａ）を第１の状態（緑色）にあるとして登録する；
得られた第１の情報（１１２）が、トランジットのケーブル、パイプまたはワイヤの設置が少なくとも潜在的にシールされていないことを示すときに、特定のトランジット（１ａ）を第２の状態（赤色）にあるとして登録する；
特定のトランジット（１ａ）が第２の状態（赤色）にある間、前記特定のトランジット（１ａ）のトランジットガードユニット（５０ａ）によって検出された状態についての第２の情報（１１４）を得る；
得られた第２の情報が、トランジットのケーブル、パイプまたはワイヤの設置がシールされていることを示す場合、特定のトランジット（１ａ）の登録された状態を第３の状態（黄色）に変える；および
それぞれのトランジット（１ａ−１ｎ）の登録された状態（緑色、赤色、黄色）を、前記モニタリングシステム（２）のユーザ（３，４）が利用できるようにする、
ように構成される、
モニタリングシステム（２）。
【請求項２】
請求項１に記載のモニタリングシステム（２）であって、前記中央モニタリングユニット（７０）は、
特定のトランジット（１ａ）が第３の状態（黄色）にある間、前記モニタリングシステム（２）のユーザ（４）からの認証（１１６）を得る；および
それに応じて特定のトランジット（１ａ）の登録された状態を第１の状態（緑色）に変える、
ように構成される、
モニタリングシステム（２）。
【請求項３】
請求項１または２に記載のモニタリングシステム（２）であって、各トランジット（１ａ）について状態表示ユニット(９０；９０’；２９０；３９０)をさらに備え、前記状態表示ユニット(９０；９０’；２９０；３９０)は、設置されている現場（５）でのトランジット（１ａ）の状態の局所的表示を提供するように構成される、モニタリングシステム（２）。
【請求項４】
請求項１から３のいずれか１項に記載のモニタリングシステム（２）であって、状態表示ユニット(９０；２９０；３９０)は、トランジットガードユニット（５０；２５０；３５０；４５０）に含まれる、モニタリングシステム（２）。
【請求項５】
請求項１から３のいずれか１項に記載のモニタリングシステム（２）であって、状態表示ユニット(９０’)は、トランジット（１ａ）に設置されている別のデバイスである、モニタリングシステム（２）。
【請求項６】
請求項４または５に記載のモニタリングシステム（２）であって、トランジットガードユニット（５０）は、
前記中央モニタリングユニット（７０）からトランジット（１）の状態が新しい状態に変えられたという指示を得る；および
新しい状態を示すように状態表示ユニット(９０；９０’)を制御する、
ように構成される、
モニタリングシステム（２）。
【請求項７】
請求項５に記載のモニタリングシステム（２）であって、状態表示ユニット(９０’)は、
前記中央モニタリングユニット（７０）またはトランジットガードユニット（５０）からトランジット（１）の状態が新しい状態に変えられたという指示を得る；および
それに応じて新しい状態を示す、
ように構成される、
モニタリングシステム（２）。
【請求項８】
請求項４から７のいずれか１項に記載のモニタリングシステム（２）であって、状態表示ユニット(９０；９０’)は、以下の
ＬＥＤインジケータ（９２；１９２）のセットであって、各ＬＥＤインジケータは、該当する場合に、第１の状態（緑色）、第２の状態（赤色）および第３の状態（黄色）のそれぞれ１つを示すように適合される、ＬＥＤインジケータのセット；
多色ＬＥＤインジケータであって、該当する場合に、第１の状態（緑色）、第２の状態（赤色）および第３の状態（黄色）のそれぞれ１つを示すように適合される、多色ＬＥＤインジケータ；および
ディスプレー画面（９４）であって、該当する場合に、第１の状態（緑色）、第２の状態（赤色）および第３の状態（黄色）を視覚的に表すように適合されたディスプレー画面、
のうちの１つ以上を備える、
モニタリングシステム（２）。
【請求項９】
請求項４から８のいずれか１項に記載のモニタリングシステム（２）であって、トランジットガードユニット（５０）または状態表示ユニット(９０’)は、
メモリ（５３；９３）であって、該当する場合に、第１の状態（緑色）、第２の状態（赤色）、または第３の状態（黄色）を表す、状態値（トランジット状態）を保存するメモリと、
近距離無線通信インターフェース（９６）と、
をさらに備え、
トランジットガードユニット（５０）または状態表示ユニット(９０’)は、前記メモリ(５３；９３)に保存された状態値（トランジット状態）を、近距離無線通信インターフェース（９６）を介して外部検査デバイス（８２）によって読み取れるようにするように、構成される、
モニタリングシステム（２）。
【請求項１０】
請求項１から９のいずれか１項に記載のモニタリングシステム（２）であって、
前記または１つのタイプのトランジット（１；１ａ）は、１つ以上の締め付け部材（４１）によって作動する圧縮ユニット（ウェッジ）（４０）を備え、トランジットガードユニット（５０；１５０）は、
ハウジング（１５４）であって、前記圧縮ユニット（４０）への取り付けに適合し、１つ以上の締め付け部材（４１）との係合のための１つ以上の凹部（１５６）を有する、ハウジング（１５４）と、
センサ（５２；１５２）であって、凹部または１つ以上の凹部（１５６）に位置し、トランジットガードユニット（５０；１５０）が、前記圧縮ユニット（４０）の所定の位置にある、またはそこから取り外されている、として前記状態を検出するのに適合している、センサ（５２；１５２）と、
を備える、
モニタリングシステム（２）。
【請求項１１】
請求項８および１０に記載のモニタリングシステム（２）であって、トランジットガードユニット（１５０）のハウジング（１５４）は、前記ＬＥＤインジケータ（９２；１９２）のセット、前記多色ＬＥＤインジケータ、または状態表示ユニット(９０)のディスプレー画面（９４）も備える、
モニタリングシステム（２）。
【請求項１２】
請求項１から９のいずれか１項に記載のモニタリングシステム（２）であって、トランジットガードユニット（５０；１５０）は、前記トランジット(１；１ａ)からのトランジット要素（１０，２０，３０，４０，４２；４００）の存在または取り出しとして前記状態を検出するように適合されたセンサ（５２；１５２）を備える、
モニタリングシステム（２）。
【請求項１３】
請求項１から９のいずれか１項に記載のモニタリングシステム（２）であって、トランジットガードユニット（５０；１５０；２５０；３５０；４５０）は、トランジットガードユニット（５０；１５０；２５０；３５０；４５０）が、前記トランジット（１；１ａ）の所定の位置にある、または前記トランジット（１；１ａ）から取り外されている、として前記状態を検出するのに適合されたセンサ（４５２）を備える、
モニタリングシステム（２）。
【請求項１４】
請求項１２または１３に記載のモニタリングシステム（２）であって、トランジットガードユニット（２５０；３５０）は、前記トランジット（１；１ａ）の１つのタイプのトランジット要素（２０）、または前記１つのタイプのトランジット要素（２０）の１つのタイプの部品（２８）、と同じ全体形状である、
モニタリングシステム（２）。
【請求項１５】
請求項１２から１４のいずれか１項に記載のモニタリングシステム（２）であって、トランジット要素（１０，２０，３０，４０，４２；４００）または前記１つのタイプのトランジット要素は、以下の
フレーム（１０）；
圧縮性モジュール（２０）；
ステープレート（３０）；
圧縮ユニット（ウェッジ）（４０）；
ウェッジクリップ（４２）；および
複合フレームおよび圧縮性モジュール（４００）、
のうちのいずれか１つである、
モニタリングシステム（２）。
【請求項１６】
請求項１４に記載のモニタリングシステム（２）であって、前記１つのタイプのトランジット要素は、圧縮性モジュール（２０）であり、トランジットガードユニット（２５０；３５０）は、圧縮性モジュール（２０）と同じ全体形状のハウジング（２５４；３５４）を有し、トランジットガードユニット（２５４；３５４）は、トランジット（１；１ａ）に圧縮性モジュール（２０）の代わりに取り付けられるように適合される、
モニタリングシステム（２）。
【請求項１７】
請求項１４に記載のモニタリングシステム（２）であって、前記１つのタイプのトランジット要素は、圧縮性モジュール（２０）であり、トランジットガードユニット（２５０；３５０）は、圧縮性モジュール（２０）のコア（２８）と同じ全体形状のハウジング（２５４；３５４）を有し、トランジットガードユニット（２５４；３５４）は、トランジット（１；１ａ）に圧縮性モジュール（２０）のコア（２８）の代わりに取り付けられるように適合される、
モニタリングシステム（２）。
【請求項１８】
請求項１２から１７のいずれか１項に記載のモニタリングシステム（２）であって、センサ（５２；１５２；４５２）は、以下の
圧力センサ；
圧電センサ；
電気スイッチ（１５２）；
磁気スイッチ；
ホール効果センサ；
フォトセンサ、
のいずれかである、
モニタリングシステム（２）。
【請求項１９】
請求項１から１８のいずれか１項に記載のモニタリングシステム（２）であって、前記中央モニタリングユニット（７０）は、
個々のトランジット（１ａ−１ｎ）間の関連を保存する；
第１のトランジット（１ａ）が第２の状態（赤色）で登録されるときに：
第１のトランジット（１ａ）が少なくとも第２のトランジット（１ｂ）と関連するかどうかを決定する；および、そうであるならば、
第３の状態（黄色）にあるように、第２のトランジット（１ｂ）の強制登録を生じさせる、
ようにさらに構成される、
モニタリングシステム（２）。
【請求項２０】
請求項１から１８のいずれか１項に記載のモニタリングシステム（２）であって、前記中央モニタリングユニット（７０）は、
個々のトランジット（１ａ−１ｎ）間の関連を保存する；
第１のトランジット（１ａ）が第２の状態（赤色）で登録されるときに：
第１のトランジット（１ａ）が少なくとも第２のトランジット（１ｂ）と関連するかどうかを決定する；および、そうであるならば、
第２の状態（赤色）にあるように、第２のトランジット（１ｂ）の強制登録を生じさせる、
ようにさらに構成される、
モニタリングシステム（２）。
【請求項２１】
ケーブル、パイプまたはワイヤトランジット（１；１ａ・・・１ｎ）のトランジットガードユニット（５０；５０ａ−５０ｎ；１５０；２５０；３５０；４５０）であって、ケーブル、パイプまたはワイヤトランジット（１；１ａ・・・１ｎ）は、現場（５）で１つ以上のケーブル（２）、パイプまたはワイヤのシールされた設置に組み込まれる複数のトランジット要素（１０，２０，３０，４０；４２；４００）を有し、トランジットガードユニットは、
トランジット（１）のケーブル、パイプまたはワイヤの設置が、シールされているかまたは少なくとも潜在的にシールされていないかを示す状態を検出する；
検出された状態を、通信インターフェース（５６）を介して通信ネットワーク（６０；６０ａ）に、または近距離無線通信インターフェース（９６）を介してモバイル機器に、送信する；
通信インターフェース（５６）を介してまたは近距離無線通信インターフェース（９６）を介して、トランジット（１）の状態が新しい状態に変わったという指示を受け取る；および
現場（５）のユーザ（３，４）への新しい状態の表示を生じさせる、
ように構成される、
トランジットガードユニット（５０；５０ａ−５０ｎ；１５０；２５０；３５０；４５０）。
【請求項２２】
請求項２１に記載のトランジットガードユニット（５０；５０ａ−５０ｎ；１５０；２５０；３５０；４５０）であって、新しい状態は、以下の
トランジット（１）のケーブル、パイプまたはワイヤの設置がシールされていることを示す第１の状態（緑色）；
トランジット（１）のケーブル、パイプまたはワイヤの設置が少なくとも潜在的にシールされていないことを示す第２の状態（赤色）；および
トランジット（１）のケーブル、パイプまたはワイヤの設置が、シールされるように戻されたが認定ユーザ（４）による認証を必要とすることを示す、第３の状態（黄色）、
のうちの１つである、
トランジットガードユニット（５０；５０ａ−５０ｎ；１５０；２５０；３５０；４５０）。
【発明の詳細な説明】
【技術分野】
【０００１】
本発明は、ケーブル、パイプまたはワイヤのシールされた設置の分野に概して関し、具体的には、ケーブル、パイプまたはワイヤトランジットのモニタリングに関し、各トランジットは、現場で１つ以上のケーブル、パイプまたはワイヤのシールされた設置に組み込まれた複数のトランジット要素を備え得る。
【背景技術】
【０００２】
ケーブル、パイプまたはワイヤのシールされた設置は、キャビネット、技術的シェルター、接続箱および機械などの、多くの異なる環境でよく使用される。それらは、自動車用、電気通信、発電および電力供給などの、様々な異なる産業、また海洋および沖合で使用される。シールされた設置は、流体、気体、火、齧歯動物、シロアリ、ほこり、湿気等に対して効果的にシールする働きをし、電気、通信、コンピュータ等用のケーブル、水、圧縮空気、油圧油および調理ガスなどの様々な気体または液体用のパイプ、および負荷保持用のワイヤを含み得る。
【０００３】
本出願人は、シール目的でのケーブル、パイプまたはワイヤの発展における世界的なリーダーである。リードスルーとも称されることがあるトランジットは、複数の異なるトランジット要素で構成され、複数の異なるトランジット要素は、現場での設置によって１つ以上のケーブル、パイプまたはワイヤのシールされた設置に組み込まれる。１つの一般的に使用されるトランジットタイプは、本質的に長方形のフレームを有し、その内側に、いくつものモジュールが、ケーブル、パイプまたはワイヤを受け取るように配置される。モジュールは、ゴムまたはプラスチックなどの、弾性材料で作られ、従って圧縮性であり、さらに、ケーブル、パイプまたはワイヤの異なる外径に適応できる。モジュールは、ある種の圧縮ユニットと共に１つ以上の列で並んで典型的に配置される。圧縮ユニットは、フレームとモジュールとの間に、圧縮ユニットが膨張するときに、圧縮性モジュールが、ケーブル、ワイヤまたはパイプの周りで圧縮される方法で、配置される。説明を簡単にするために、「ケーブル」という用語がこの文書で主に使用されるが、それは広く解釈されるべきであり、当業者は、それが通常パイプまたはワイヤにも及ぶ、またはその同等であることに、気付く。
【０００４】
別のタイプのトランジットは、本質的に円筒形であり、壁または壁の開口の、パイプスリーブとしても知られる、スリーブに受け取られるようになっている。望ましい方法で機能するために、トランジットは、スリーブ、またはそれが受け取られる壁の開口にぴったりと収まるように適合され、トランジットは、実際の取付寸法に適応可能である。取付寸法は、スリーブまたは開口の内径によって決まる。トランジットは、円筒形圧縮性本体を有し、それは、圧縮性本体の両端にある器具の間で軸方向に圧縮される。軸方向圧縮によって、円筒形本体は、径方向に内側にも外側にも大きくなる。さらに、受け取られるケーブルは、異なる外径を有してよく、従って、モジュールは、異なる外径を有するケーブルに適応できる。
【０００５】
他のタイプのトランジットも、当業者がそれ自体を十分に把握しているように、技術分野で知られている。
【０００６】
本発明者は、１つ以上の現場で動作中のトランジットのモニタリングが、この文書の以下の部分の読者に見てとれるいくつかの理由で改善が必要である重要な活動であることに気付いた。
【発明の概要】
【発明が解決しようとする課題】
【０００７】
従って、発明の目的は、ケーブル、パイプまたはワイヤトランジットのモニタリングにおける１つ以上の改善を提供することであり、各トランジットは、現場での１つ以上のケーブル、パイプまたはワイヤのシールされた設置に組み込まれた複数のトランジット要素を備える。
【課題を解決するための手段】
【０００８】
本発明の一態様は、現場で１つ以上のケーブル、パイプまたはワイヤのシールされた設置に組み込まれる複数のトランジット要素を有するタイプのケーブル、パイプまたはワイヤトランジットのモニタリングシステムである。モニタリングシステムは、各トランジットについて、トランジットのケーブル、パイプまたはワイヤの設置が、シールされているかまたは少なくとも潜在的にシールされていないかを示す状態を検出するように構成されたトランジットガードユニットを備える。トランジットガードユニットは、通信ネットワークに接続可能である。
【０００９】
モニタリングシステムは、中央モニタリングユニットも備え、それは、通信ネットワークまたは別の通信ネットワークを介して、トランジットのいずれかのトランジットガードユニットによって検出された状態についての第１の情報を得て、得られた第１の情報が、トランジットのケーブル、パイプまたはワイヤの設置がシールされていることを示すときに、特定のトランジットを第１の状態、緑色、にあるとして登録し、得られた第１の情報が、トランジットのケーブル、パイプまたはワイヤの設置が少なくとも潜在的にシールされていないことを示すときに、特定のトランジットを第２の状態、赤色、にあるとして登録するように、構成される。
【００１０】
中央モニタリングユニットは、特定のトランジットが第２の状態、赤色にある間、前記の特定のトランジットのトランジットガードユニットによって検出された状態についての第２の情報を得るように、さらに構成される。得られた第２の情報が、トランジットのケーブル、パイプまたはワイヤの設置がシールされていることを示す場合、中央モニタリングユニットは、特定のトランジットの登録された状態を、黄色などの、第３の状態に変えるように構成される。中央モニタリングユニットは、それぞれのトランジットの、登録された状態、緑色、赤色、黄色を、モニタリングシステムのユーザが利用できるようにするようにも構成される。
【００１１】
モニタリングシステムおよびその部品のさらなる特徴は、詳細な説明部分に記載され、図面に示される。また、さらなる態様は、第１態様によるモニタリングシステムの対応方法として見ることができ、その方法は、第１態様によるモニタリングシステムによって行われる機能ステップを含む。
【００１２】
本発明の別の態様は、現場で１つ以上のケーブル、パイプまたはワイヤのシールされた設置に組み込まれる複数のトランジット要素を有する、ケーブル、パイプまたはワイヤトランジットのトランジットガードユニットである。トランジットガードユニットは、トランジットのケーブル、パイプまたはワイヤの設置が、シールされているかまたは少なくとも潜在的にシールされていないかを示す状態を検出し、検出された状態を、通信インターフェースを介して通信ネットワークに、または近距離無線通信インターフェースを介してモバイル機器に、送信し、通信インターフェースを介してまたは近距離無線通信インターフェースを介して、トランジットの状態が新しい状態に変わったという指示を受け取り、現場のユーザへの新しい状態の表示を生じさせるように、構成される。
【００１３】
新しい状態は、有利には、３つのあり得る状態：トランジットのケーブル、パイプまたはワイヤの設置がシールされていることを示す、緑色などの、第１の状態、トランジットのケーブル、パイプまたはワイヤの設置が少なくとも潜在的にシールされていないことを示す、赤色などの、第２の状態、および、トランジットのケーブル、パイプまたはワイヤの設置が、シールされるように戻されたが認定ユーザによる認証を必要とすることを示す、黄色などの、第３の状態、のうちの１つであり得る。
【００１４】
第２態様によるトランジットガードユニットは、第１態様によるモニタリングシステムの一部であるトランジットガードユニットについてこの文書で記載される機能的特徴のいずれかまたは全てを有し得る。また、さらなる態様が、第２態様によるトランジットガードユニットの対応方法として見ることができ、その方法は、第２態様によるトランジットガードユニットによって行われる機能ステップを含む。
【００１５】
発明のさらに他の態様および特徴は、添付の「特許請求の範囲」によって定められ、詳細な説明部分でおよび図面で、解決される課題および得られる利点と共に、さらに説明される。
【００１６】
この明細書で使用される場合の「備える（ｃｏｍｐｒｉｓｅｓ／ｃｏｍｐｒｉｓｉｎｇ）」という用語は、定められた特徴、整数、ステップまたは部品の存在を特定するが、１つ以上の他の特徴、整数、ステップ、部品またはそのグループの追加または存在を除外しないことが、強調されなければならない。請求項で使用される全ての用語は、本明細書で明示的に定めた場合を除き、技術分野におけるその通常の意味に従って解釈されるべきである。“（ａ／ａｎ／ｔｈｅ）「要素、装置、部品、手段、ステップ等」”に対する全ての言及は、明示的に述べた場合を除き、要素、装置、部品、手段、ステップ等の少なくとも１つの例に言及すると、公然と解釈されるべきである。本明細書に開示される方法のステップは、明示的に述べない限り、開示される順番通りに行われなくてもよい。
【００１７】
発明の実施形態の目的、特徴および利点は、以下の詳細な説明から現れ、添付図面が参照される。
【図面の簡単な説明】
【００１８】
【図１】現場での設置によって複数のケーブルのシールされた設置に組み込まれた複数の異なるトランジット要素を備えるトランジットの概略等角図である。
【図２Ａ】本質的に長方形のフレームの形の第１のタイプのトランジット要素の概略等角図である。
【図２Ｂ】圧縮性モジュールの形の第２のタイプのトランジット要素の概略等角図である。
【図２Ｃ】ステープレートの形の第３のタイプのトランジット要素の概略等角図である。
【図２Ｄ】ウェッジまたは圧縮ユニットの形の第４のタイプのトランジット要素の概略等角図である。
【図２Ｅ】ウェッジクリップの形の第５のタイプのトランジット要素の概略等角図である。
【図３】より複雑なトランジットの概略等角図である。
【図４Ａ】一実施形態によるトランジットガードユニットの概略等角図である。
【図４Ｂ】一実施形態によるトランジットガードユニットの概略等角図である。
【図５Ａ】トランジットに取り付けられているときの図４Ａおよび４Ｂのトランジットガードユニットの概略等角図である。
【図５Ｂ】図５Ａのトランジットガードユニットおよびトランジットの概略上面図である。
【図５Ｃ】図５Ａのトランジットガードユニットおよびトランジットの概略正面図である。
【図５Ｄ】図５Ａのトランジットガードユニットおよびトランジットの概略側面図である。
【図６】一実施形態によるケーブル、パイプまたはワイヤトランジットのモニタリングシステムの概略図である。
【図７Ａ】トランジットガードおよびトランジットの異なる実施形態、およびどのようにローカルユーザが点検し得るかを示す。
【図７Ｂ】トランジットガードおよびトランジットの異なる実施形態、およびどのようにローカルユーザが点検し得るかを示す。
【図７Ｃ】トランジットガードおよびトランジットの異なる実施形態、およびどのようにローカルユーザが点検し得るかを示す。
【図８Ａ】一実施形態による組み込まれた状態表示ユニットを有するトランジットガードユニットの概略ブロック図である。
【図８Ｂ】別の実施形態によるトランジットガードユニットから分けられた装置である状態表示ユニットの概略ブロック図である。
【図９】本発明の背後にある原理を示す状態図である。
【図１０Ａ】代替実施形態によるトランジットガードユニットの概略等角図である。
【図１０Ｂ】代替実施形態によるトランジットガードユニットの概略側面図である。
【図１０Ｃ】代替実施形態によるトランジットガードユニットの概略正面図である。
【図１１Ａ】代替実施形態によるトランジットガードユニットの概略等角図である。
【図１１Ｂ】代替実施形態によるトランジットガードユニットの概略側面図である。
【図１１Ｃ】代替実施形態によるトランジットガードユニットの概略正面図である。
【図１２Ａ】代替実施形態によるトランジットガードユニットの概略等角図である。
【図１２Ｂ】代替実施形態によるトランジットガードユニットの概略等角図である。
【図１２Ｃ】代替実施形態によるトランジットガードユニットの概略等角図である。
【発明を実施するための形態】
【００１９】
発明の実施形態が、添付図面に関連してこれから記載される。発明は、しかしながら、多くの異なる形態で実施されてよく、本明細書に記載の実施形態に限定されると解釈されるべきではない。むしろ、これらの実施形態は、この開示が、徹底的で完全であるように、および発明の範囲を当業者に十分に伝えるように、提供される。添付図面に示される特定の実施形態の詳細な説明で使用される用語は、発明を限定することを意図していない。図では、同様の番号は同様の要素に言及する。
【００２０】
図１は、リードスルーとしても知られる、トランジット１を概略的に示し、トランジット１は、現場での設置によって複数のケーブル２のシールされた設置に組み込まれた複数の異なるトランジット要素１０，２０，３０，４０，４２を備える。一般に、トランジットを構成するトランジット要素は、異なるタイプであってよく、実施に応じて、単一の例または複数の例として存在してよい。
【００２１】
図１に見られるように、トランジット１は、フレーム１０を備え、その内側に複数の圧縮性モジュールが、異なる寸法および数で配置される（圧縮性モジュールの３つだけが、図１で２０１，２０２および２０３として示されている）。トランジット１のフレーム１０は、パッキング、シーリングまたは溶接接合１２によって取り付けられる。
【００２２】
圧縮モジュール２０が、図２Ｂに示されている。圧縮モジュール２０は、２つの半分２２，２４に分割される箱状体を有する。弾性材料のいくつもの層２６は、センターコア２８の周りで本体２２，２４に同心円状に配置される。設置時にコア２８を取り除き適切な数の層２６を剥がすことによって、圧縮性モジュール２０は、異なる直径のケーブルのうちのケーブル２にしっかり係合するように適合され得る。図１に見られる例では、２つのケーブル２だけが、２つのそれぞれのモジュール２０に取り付けられ、残りの図１のモジュール２０は、ケーブルリードスルーに現在使用されておらず、従ってそれぞれのコア２８を所定の位置に依然として有する。
【００２３】
図１から明らかなように、（主な）トランジット要素タイプ（圧縮性モジュール２０など）は、例えば寸法によって識別される（図１のモジュール２０２および２０３参照）、異なる（サブ）タイプで順に現れてよい。
【００２４】
図２Ｃは、ステープレート（ｓｔａｙ  ｐｌａｔｅ）３０の形の第３タイプのトランジット要素を示し、それは、図１に見られるように、フレーム１０の中の圧縮性モジュール２０の異なる列を分けるのに使用される。
【００２５】
図２Ｄは、ウェッジまたは圧縮ユニット４０の形の第４のタイプのトランジット要素を示す。ウェッジクリップ４２の形の第５のタイプのトランジット要素が、図２Ｅに見られる。圧縮ユニット４０は、圧縮ユニットが膨張するときに、シールされた設置が実現するように圧縮性モジュールがケーブル２の周りで圧縮される方法で、フレーム１０とモジュール２０との間に配置される。圧縮ユニットが十分に膨張したときに、その締め付け部材（ボルトまたはねじ）４１は、ウェッジクリップ４２がそれらに取り付けられるに十分であるほど遠くに突出する。従って、ウェッジクリップ４２が取り付けられるときに、それは、圧縮ユニットが十分に膨張したことの表れである。代替的にまたは追加的に、ウェッジクリップ４２は、圧縮ユニット４０の予想外の緩み（非膨張）を防ぐ働きをし得る。
【００２６】
異なるトランジットは、当該設置場所での自然および実現要件に応じて、寸法および複雑さにおいてかなり異なり得ることが、気付かれるべきである。図３は、より複雑なトランジットの例を示す。
【００２７】
この文書の背景部分で前述したように、１つ以上の現場で動作中のトランジットのモニタリングの一般的必要性がある。この目的に向けて、および本発明に従って、ケーブル、パイプまたはワイヤトランジットおよびトランジットガードユニットが、残りの図面に関連してこれから記載される様々な実施形態で提供される。
【００２８】
図６に見られるように、モニタリングシステム２は、発明の一実施形態に従って提供された。モニタリングシステム２は、２つの主な部品：１）複数のトランジットガードユニット５０ａ−５０ｎ、各トランジット１ａ−１ｎにつき１つがモニタされる、および２）それぞれのトランジットガードユニット５０ａ−５０ｎによって検出されるトランジット１ａ−１ｎの現在の状態に関するトランジットガードユニット５０ａ−５０ｎからの報告を受ける中央モニタリングユニット７０、を有する。より詳細には、各トランジットガードユニット５０ａによって検出される状態は、トランジットのケーブル、パイプまたはワイヤの設置が、シールされているかまたは少なくとも潜在的にシールされていないかを示す。
【００２９】
中央モニタリングユニット７０とトランジットガードユニット５０ａ−５０ｎとは、１つ以上の通信ネットワーク６０，６０ａ−ｃ）によって動作可能に接続され、それは、モバイル通信ネットワーク（商業的に利用可能なモバイル通信規格、例えば（これに限定されない）ＧＳＭ（登録商標）、ＵＭＴＳ、ＬＴＥ（登録商標）、Ｄ−ＡＭＰＳ、ＣＤＭＡ２０００、ＦＯＭＡおよびＴＤ−ＳＣＤＭＡ、に準拠している）、広域データネットワーク（インターネットまたはその一部の形態のＩＰベースのデータネットワークなど）、ローカルエリア・ネットワーク（ＷｉＦｉ／ＷＬＡＮ、Ｂｌｕｅｔｏｏｔｈ（登録商標）またはＬＡＮネットワーク）、産業データバス（ＡＳＩ、ＣＡＮｂｕｓ、ＰｒｏｆｉＢｕｓまたはＭｏｄｂｕｓ）、またはその組み合わせ、であってよい。図６に見られるように、モニタリングシステム２の一実施形態では、トランジットガードユニット５０ａ−５０ｎは、ローカルエリア・ネットワーク６０ａ，６０ｃに無線リンク６１ａ−６１ｎを介し接続し、一方、中央モニタリングユニット７０は、ローカルエリア・ネットワーク６０ａ，６０ｃが接続される広域ネットワーク６０ｂに接続する。代替的に、図６に見られるように、全てのユニットは、例えば、インターネットまたはまたはその一部である、共通する一つの広域ネットワーク６０に接続され得る。
【００３０】
トランジットガードユニット５０の一実施形態１５０（図６のトランジットガードユニット５０ａ−５０ｎの１つを実施している）が、図４Ａおよび４Ｂに示されている。図５Ａ−５Ｄは、トランジット１（図６のトランジット１ａ−１ｎの１つを実施している）に取り付けられているときのトランジットガードユニット１５０を示す。この実施形態のトランジットガードユニット１５０は、図１および２Ｄに見られるウェッジ４０など、トランジット１の圧縮ユニットに取り付けられるように適合される。圧縮ユニットまたはウェッジ４０は、トランジットのケーブルのシールされた設置を実現するように、１つ以上の締め付け部材、開示される実施形態では２つの締め付け部材４１（図２Ｄ参照）、によって作動する。
【００３１】
従って、トランジットガードユニット１５０は、ハウジング１５４を備え、ハウジング１５４は、締め付け部材４１との係合のために、１つ以上の凹部、開示される実施形態では２つの凹部１５６、を有することによって圧縮ユニットまたはウェッジ４０への取り付けに適合している。センサ１５２は、凹部または１つ以上の凹部に、開示される実施形態では２つの凹部１５６の１つに、位置し、トランジットガードユニット１５０が、圧縮ユニットまたはウェッジ４０の所定の位置にあるか、またはそこから取り外されているかを、それぞれ検出することができることによって、前記の状態を検出するのに適合している。開示される実施形態では、センサ１５２は、電気スイッチであり、電気スイッチは、トランジットガードユニット１５０が圧縮ユニットまたはウェッジ４０に所定の位置で取り付けられているときに、圧縮ユニットまたはウェッジ４０の締め付け部材４１の１つとの係合によって押された／閉じた状態に保たれる、および、トランジットガードユニット１５０が圧縮ユニットまたはウェッジ４０から取り外されているときに、開放される／開かれる。他の種類のセンサも、図８Ａに関連してこの明細書で後に説明されるように、また一方で可能である。
【００３２】
図５Ａ−５Ｄに見られるように、トランジットガードユニット１５０のハウジング１５４は、トランジットガードユニット１５０の状態表示ユニットの一部であるＬＥＤインジケータ１９２のセットも備える。
【００３３】
開示された実施形態によるモニタリングシステム２の機能性が、再び図６に関連してより詳細にこれから記載される。加えて、本発明の背後にある原理を示す状態図１００も参照されたい。
【００３４】
前述したように、各トランジット１ａ・・・１ｎのトランジットガードユニット５０ａ・・・５０ｎは、それぞれのトランジットのケーブル、パイプまたはワイヤの設置が、シールされているかまたは少なくとも潜在的にシールされていないかを示す状態を検出するように構成される。この目的で、トランジットガードユニットは、通信ネットワーク６０ａ，６０ｃまたは６０に接続可能である。図４Ａ−４Ｂおよび５Ａ−５Ｄの上記の実施形態について、センサ１５２は、この状態を検出するためにトランジットガードユニットによって使用される要素である。
【００３５】
中央モニタリングユニット７０は、通信ネットワーク６０ｂまたは前記の共通する通信ネットワーク６０を介して、トランジット１ａ・・・１ｎのトランジットガードユニット５０ａ・・・５０ｎによって検出される状態に関する第１の情報を得るように構成される。ここで、そのような第１の情報は、図６の特定のトランジット１ａから得られると考えられる。第１の情報は、図４Ａ−４Ｂおよび５Ａ−５Ｄの実施形態について、閉位置（トランジットガードユニット５０が特定のトランジット１ａの圧縮ユニットまたはウェッジ４０に十分に取り付けられている）または開位置（トランジットガードユニット５０が特定のトランジット１ａの圧縮ユニットまたはウェッジ４０に十分に取り付けられていない、従って締め付け部材４１は手を加えるようにアクセス可能である）にあるセンサ１５２の読み取りを表すデータを含み得る。
【００３６】
得られた第１の情報が、特定のトランジット１ａのケーブル、パイプまたはワイヤの設置がシールされていることを示すときに、中央モニタリングユニット７０は、特定のトランジット１ａを第１の状態、緑色、にあるとして登録する。これは、図９の状態図１００の１０２および１１０に見られる。
【００３７】
一方、得られた第１の情報が、特定のトランジット１ａのケーブル、パイプまたはワイヤの設置が少なくとも潜在的にシールされていないことを示すときに、中央モニタリングユニット７０は、特定のトランジット１ａを第２の状態、赤色、にあるとして登録する。これは、図９の１０４および１１２に見られ、特定のトランジット１ａの不測の誤動作または意図的な操作によって、および／または特定のトランジット１ａで点検または修理をするローカルユーザ３によって、引き起こされ得る。
【００３８】
特定のトランジット１ａが第２の状態、赤色、にある間、中央モニタリングユニット７０は、特定のトランジット１ａのトランジットガードユニット５０ａによって検出される状態に関する第２の情報を得るように構成される。そのような得られた第２の情報が、トランジット１ａのケーブル、パイプまたはワイヤの設置がシールされていることを示す場合、中央モニタリングユニット７０は、特定のトランジット１ａの登録された状態を第３の状態、黄色に変更する。これは、図９の１０６および１１４に見られ、ローカルユーザ３が、特定のトランジット１ａを訪れて、例えば、それを、トランジット要素およびケーブルを適切な位置に再配置する、必要に応じて欠陥トランジット要素およびケーブルを交換する、パッキング、シーリングまたは溶接接合１２を交換または修復する、圧縮ユニットまたはウェッジ４０を締める等によって、通常の、シールされた状態に戻したときに、起こり得る。それは、誰かが、最初に緑色から赤色への変更（潜在的にシールされていない状態が検出される）およびその後赤色から黄色への変更（シールされた状態が検出される）を引き起こす断続的な仕方で、間違ってまたは意図的に特定のトランジット１ａに干渉したときにも、すなわち、緑色から赤色への変更を引き起こした偶発的または意図的な行動が終わったとしても逆にされたとしても、起こり得る。
【００３９】
中央モニタリングユニット７０によって各トランジット１ａ−１ｎ毎に登録された状態は、図６の７４にあるように、メモリ７２に保存される。これは、中央モニタリングユニット７０が、それぞれのトランジット１ａ−１ｎの登録された状態（すなわち、緑色、赤色、黄色）を、モニタリングシステム２のユーザ４が利用できるようにすることを、可能にする。例えば、ユーザ４は、中央モニタリングユニット７０に問い合わせるために、または中央モニタリングユニット７０によって提供された登録されたトランジット状態報告を得るために、コンピュータ・デバイス７８を使用し得る。
【００４０】
各トランジットガードユニット５０の状態表示ユニットは、例えば現在の状態に応じてそれぞれのＬＥＤインジケータ１９２のスイッチを入れたり切ったりすることによって、設置されている現場５での特定のトランジット１の状態の局所的表示を提供するように構成される。従って、状態の変更が中央モニタリングユニット７０によって登録されたときに、それは、この趣旨で特定のトランジット１のトランジットガードユニット５０に指示を送る。従って、特定のトランジット１は、中央モニタリングユニット７０から特定のトランジット１の状態が変えられたという指示を得るように、および新しい状態を示すようにその状態表示ユニットを制御するように、構成される。例えば、トランジットガードユニットの実施形態１５０について、これは、ＬＥＤインジケータ１９２のうちの関連する１つをオンにし、他をオフにすることを含む、または、単一の多色ＬＥＤが使用される場合、関連する色（例えば、緑色、赤色または黄色）の光をそれが生じさせるようにする。
【００４１】
黄色状態の１つの利点は、それが、モニタリングシステム２のトランジット１ａ−１ｎについての論理状態記憶部を導入することである。モニタリングシステム２は、特定のトランジットが、最初にそれを潜在的にシールされていない状態に変え得る何かにさらされ、その後シールされた状態と思える状態に誰かによって回復されたことを、「記憶」している。トランジットガードユニットによって検出される情報（例えば、センサ１５２の出力）のみが、特定のトランジットでの局所的状態表示を与えるのに使用されるならば、特定のトランジットにいるローカルユーザ３は、特定のトランジットが手を加えられたかもしれないことを認識できないだろう。
【００４２】
有利には、特定のトランジット１ａが第３の状態、黄色にある間、中央モニタリングユニット７０は、モニタリングシステム２のユーザ４からの認証を得るように、およびそれに応じて特定のトランジット１ａの登録された状態を第１の状態、緑色に変えるように、構成される。これは、図９の１０２および１１６に見られる。中央モニタリングユニット７０は、また、状態の変更に関する情報を上記のように特定のトランジットガード５０に送り、特定のトランジットガード５０が、以前の状態、黄色を示すのをやめて、代わりに新しい状態、緑色を示すために、その状態表示ユニットを制御し得るようになっている。
【００４３】
従って、認定ユーザ４は、ローカルユーザ３が講じた対策（例えば、上記の図９の１１４と併せて）が正しいことを確認することができ、その後特定のトランジット１ａの登録された状態を緑色から黄色に変更する認証（例えば、図９の１１６）を与えることができる。緑色から黄色に切り替える認証を与える彼の決定の根拠として、認定ユーザ４は、特定のトランジット１ａを局所的に訪れることができ、、現場５での成功した目による検査の後に、ポータブルコンピューティングデバイス（例えば、図６のコンピュータ７８または図７Ｂの検査デバイス８２）を使用して認証を行うことができる。代替的にまたは追加的に、彼は、試験測定データ、例えばローカルユーザ３によって捉えられる写真または動画などの情報に基づいて決定を行うことができ、通信ネットワーク６０を介して認定ユーザ４に送ることができる。
【００４４】
このように、特定のトランジット１ａの局所的な検査を行う人は、黄色い光は、特定のトランジットが開かれたまたは手を加えられ、その後一見シールされているが確認されていない状態にリセットされたことを意味し、一方、特定のトランジットでの緑色の光は、特定のトランジット１ａが実際に確認されたシールされた状態にあるという真の表示として信用できることが、分かる。
【００４５】
図７Ａ−Ｃがこれから言及され、図７Ａ−Ｃは、トランジットガードユニットおよびトランジットの異なる実施形態、およびローカルユーザ３がトランジットガードユニットの状態表示ユニットによって示される状態をどのように点検するかを、示す。図７Ａおよび７Ｂに示される実施形態では、状態表示ユニットは、トランジットガードユニットに組み込まれるまたは含まれる。そのような複合トランジットガードユニット５０および状態表示ユニット９０の概略ブロック図が、図８Ａに示されている。
【００４６】
一方、図７Ｃに示される実施形態では、状態表示ユニットは、トランジットガードユニットとは別のデバイスである。そのような別体の状態表示ユニット９０’の概略ブロック図が、図８Ｂに示されている。
【００４７】
図８Ａに見られるように、トランジットガードユニット５０は、トランジットガードユニット５０の全体的な動作を引き受ける制御装置５１を備える。トランジットガードユニット５０は、トランジットがシールされているまたは潜在的にシールされていないことを示す状態を検出するセンサ５２（例えば、図４Ａ−４Ｂおよび５Ａ−５Ｂの実施形態のセンサ１５２）、メモリ５３、バッテリー５５または他の電源、および通信ネットワーク６０ａまたは６０への通信インターフェース５６も備える。
【００４８】
図８Ａのトランジットガードユニット５０は、統合状態表示ユニット９０をさらに備える。図７Ａ−７Ｃに関連してより詳しく説明されるように、図８Ｂの状態表示ユニット９０は、１つ以上のＬＥＤインジケータ９２、および／またはディスプレー画面９４、および／または近距離無線通信インターフェース９６を備える。
【００４９】
図８Ｂは、別の実施形態によるトランジットガードユニットとは別体のデバイスである状態表示ユニット９０’の概略ブロック図である。状態表示ユニット９０’は、制御装置９１を備え、制御装置９１は、状態表示ユニット９０’、メモリ９３、バッテリー５５または他の電源、および通信インターフェース９７の全体的な動作を引き受け、通信インターフェース９７上で状態表示ユニット９０’が通信ネットワーク６０ａまたは６０を介して中央モニタリングユニット７０またはトランジットガードユニット５０と通信し得る。
【００５０】
図８Ｂの状態表示ユニット９０’は、さらに、図８Ａのトランジットガードユニット５０の統合状態表示ユニット９０のように、１つ以上のＬＥＤインジケータ９２、および／またはディスプレー画面９４、および／または近距離無線通信インターフェース９６を備える。
【００５１】
図７Ａおよび７Ｃに示される実施形態では、ローカルユーザ３は、状態表示ユニットを視覚的に確認することによってトランジット１の状態を決定する。これは、ＬＥＤインジケータ１９２付きの統合状態表示ユニット９０を有するトランジットガードユニット１５０について図７Ａの８０に見られ、別体の状態表示ユニット９０’を有するトランジットガードユニット１５０の別の実施形態５０について図７Ｃの８６に見られる。
【００５２】
より一般的には、視覚検査に基づく実施形態では、状態表示ユニット９０；９０’は、ＬＥＤインジケータ９２；１９２のセットを備えてよく、各ＬＥＤインジケータは、該当する場合に、第１の状態、緑色、第２の状態、赤色、および第３の状態、黄色のそれぞれ１つを示すように適合される。代替的にまたは追加的に、状態表示ユニット９０，９０’は、多色ＬＥＤインジケータを備えてよく、多色ＬＥＤインジケータは、該当する場合に、第１の状態、緑色、第２の状態、赤色、および第３の状態、黄色のそれぞれ１つを示すように適合される。さらに代替的にまたは追加的に、状態表示ユニット９０，９０’は、該当する場合に、第１の状態、緑色、第２の状態、赤色、および第３の状態、黄色を視覚的に表すように適合されたディスプレー画面９４を備えてよい。例えば、図４Ａ−４Ｂおよび５Ａ−５Ｂのトランジットガードユニット１５０の実施形態に関しては、ＬＥＤインジケータ１９２のセットの代わりに、トランジットガードユニット１５０のハウジング１５４は、多色ＬＥＤインジケータまたはディスプレー画面を備えてよい。
【００５３】
図７Ｂに示される実施形態では、ローカルユーザ３は、代わりに、携帯端末、タブレット型コンピュータまたはラップトップ型コンピュータなどの外部検査デバイス８２によって状態表示ユニットを無線で調べることによって、トランジット１の状態を決定する。これは、トランジットガードユニットの別の実施形態５０について８４に見られる。
【００５４】
この目的で、図８Ａの５４にあるように、トランジットガードユニット５０／統合状態表示ユニット９０のメモリ５３は、該当する場合に、第１の状態、緑色、第２の状態、赤色、または第３の状態、黄色を表す、状態値、トランジット状態を保存する。図８Ｂの別体の状態表示ユニット９０’は、そのような状態値、トランジット状態を、同様に保存し得る。先述のようにトランジット１の状態の変更について中央モニタリングユニット７０によって指示されるときに、トランジットガードユニット５０は、メモリ５３に状態値トランジット状態として新しい状態を保存するように構成される。別体の状態表示ユニット９０’の場合、トランジットガードユニット５０は、状態表示ユニット９０’に、通信インターフェース５６／９７を介して、または代替的に近距離無線通信インターフェース９６を介して、メモリ９３に状態値トランジット状態として新しい状態を保存するよう指示する。
【００５５】
トランジットガードユニット５０（図８Ａ）または状態表示ユニット９０’（図８Ｂ）は、メモリ５３または９３に保存された状態値トランジット状態を、近距離無線通信インターフェース９６を介して外部検査デバイス８２によって読み取れるようにするように、構成される。
【００５６】
代替実施形態では、図８Ｂの別体の状態表示ユニット９０’は、それ自体に状態値トランジット状態を保存するメモリ９３を有さず、代わりにトランジットガードユニット５０（図８Ａ）は、それ自体のメモリ５３から現在の状態値トランジット状態を読み取ってよく、それを外部検査デバイス８２によって近距離無線通信インターフェース９６を介して読み取れるようにするように状態表示ユニット９０’に指示してよい（得られた状態値トランジット状態は状態表示ユニット９０’によって単にバッファリングされるまたは中継される）。
【００５７】
トランジットガードユニット５０の制御装置５１は、例えば、中央処理装置（ＣＰＵ）、デジタル信号処理装置（ＤＳＰ）、特定用途向け集積回路（ＡＳＩＣ）、フィールド・プログラマブル・ゲート・アレイ（ＦＰＧＡ）として、または一般に本明細書に記載の機能を行うことができる電子回路によって、実現されてよい。状態表示ユニット９０’の制御装置９１は、同様の手段によって実現されてよい。
【００５８】
メモリ５３／９３は、例えば、ＲＯＭ、ＲＡＭ、ＳＲＡＭ、ＤＲＡＭ、ＣＭＯＳ、ＦＬＡＳＨ、ＤＤＲまたはＳＤＲＡＭなどの、一般に知られている電子メモリ技術で実現されてよい。
【００５９】
通信インターフェース５６，９７は、例えば、ＩＥＥＥ８０２．１１、ＩＥＥＥ８０２．１５、ＺｉｇＢｅｅ、ＷｉｒｅｌｅｓｓＨＡＲＴ、ＷｉＦｉ、Ｂｌｕｅｔｏｏｈ、ＷＣＤＭＡ（登録商標）、ＨＳＰＡ、ＧＳＭ、ＵＴＲＡＮ、ＵＭＴＳ、ＬＴＥ、ＡＳＩ、ＣＡＮｂｕｓ、ＰｒｏｆｉＢｕｓまたはＭｏｄｂｕｓとして実現されてよい。
【００６０】
近距離無線通信インターフェース９６は、例えば、ＮＦＣ、Ｂｌｕｅｔｏｏｈ、ＩＥＥＥ８０２．１１、ＩＥＥＥ８０２．１５、ＺｉｇＢｅｅ、ＷｉｒｅｌｅｓｓＨＡＲＴまたはＷｉＦｉとして実現されてよい。ある実施形態では、通信インターフェース５６，９７と近距離無線通信インターフェース９６とは、同じ物理インターフェースユニットによって実現されてよい。
【００６１】
中央モニタリングユニット７０は、例えば、オペレーティングシステムを有し、本明細書に記載の機能を行うように適切にプログラムされている、サーバー・コンピュータ、ワークステーション・コンピュータ、パーソナルコンピュータまたはラップトップ型コンピュータとして、またはそのようなコンピュータ・デバイスのクラスターとして、クラウド・コンピューティング・サービスとして、実現されてよい。
【００６２】
中央モニタリングユニット７０のメモリ７２は、例えば、上述したメモリ技術のいずれか、または１つ以上の磁気ハードディスクまたはソリッドステートディスクとして、またはその組み合わせとして、実現されてよい。
【００６３】
図１２Ａ−Ｃは、代替実施形態によるトランジットガードユニット４５０を示す。この代替実施形態では、トランジットガードユニット４５０は、複合フレームおよび圧縮性モジュール４００の形態のトランジット要素への取り付けに適合している。複合フレームおよび圧縮性モジュール４００は、２つの半分４２２，４２４に分割される円筒形本体部を有する。弾性材料のいくつもの層４２６は、センターコア４２８の周りで本体４２２，４２４に同心円状に配置される。設置時にコア４２８を取り除き適切な数の層４２６を剥がすことによって、複合フレームおよび圧縮性モジュール４００は、異なる直径のケーブルのうちの所与のケーブルにしっかり係合するように適合され得る。
【００６４】
複合フレームおよび圧縮性モジュール４００は、フレーム部４１０も有する。フレーム部４１０は、ボルトまたはねじなどの、締結部材４１１を有する。トランジットガードユニット４５０は、図１２Ａおよび１２Ｂに見られるように、これらの締結部材の１つによって複合フレームおよび圧縮性モジュール４００に取り付けられる。図１２Ｃに見られるように、トランジットガードユニット４５０は、締結部材４１１の１つを受け入れる開口４５６付きのハウジング４５４を有する。トランジットガードユニット４５０は、センサ４５２も有し、センサ４５２は、トランジットガードユニット４５０が複合フレームおよび圧縮性モジュール４００に取り付けられているかどうか、またはそれから取り外されているかを、検出するように適合されている。トランジットガードユニット４５０は、前述の状態表示ユニット９０のように機能する状態表示ユニットを備えてよい。それは、例えば、複数の異なる色のＬＥＤインジケータ（前記のＬＥＤインジケータ１９２のように）、または単一の多色ＬＥＤを備えてよい。
【００６５】
複合フレームおよび圧縮性モジュール４００は、トランジット１の、唯一の、単一のトランジット要素を構成してよく、従って事実上それ自体としてトランジット１を構成してよいことが、気付かれるべきである。これは、この文書で使用される「複数のトランジット要素」という概念が、所与のトランジット１が２つ以上のトランジット要素を備える状況だけでなく、所与のトランジット１がそれ自体としてトランジット１を構成し得るただ１つのトランジット要素を備える状況を含むと解釈されるものとすることを、意味する。
【００６６】
図１０Ａ−Ｃは、代替実施形態によるトランジットガードユニット２５０を示す。この代替実施形態では、トランジットガードユニット２５０は、当該トランジット１のトランジット要素の一種と同じ全体形状であり、図１０Ａ−Ｃに示される実施形態についてより具体的には、圧縮性モジュール２０と同じ全体形状である（例えば、図１および２Ａに示されている１つなど）。図１０Ａ−Ｃに見られるように、トランジットガードユニット２５０は、圧縮性モジュール２０と同じ全体形状のハウジング２５４を有する。トランジットガードユニット２５０は、前述の状態表示ユニット９０のように機能する状態表示ユニット２９０を有し得る。それは、例えば、異なる色の複数のＬＥＤインジケータ（前記のＬＥＤインジケータのように）、または単一の多色ＬＥＤを備え得る。
【００６７】
トランジットガードユニット２５０は、トランジット１に圧縮性モジュール２０の代わりに取り付けられるように適合される。従って、トランジットガードユニット２５０は、１つ以上のケーブル、パイプまたはワイヤのシールされた設置へのトランジット要素の組み立て中、トランジット１のトランジット要素の１つ−つまり圧縮性モジュール２０の１つ−に取って代わるまたはその代わりをする。
【００６８】
図１１Ａ−Ｃは、代替実施形態によるトランジットガードユニット３５０を示す。この代替実施形態では、トランジットガードユニット３５０は、当該トランジット１の前記のトランジット要素の一種の部品と同じ全体形状であり、図１１Ａ−Ｃに示される実施形態についてより具体的には、圧縮性モジュール２０のコア２８と同じ全体形状である（例えば、図１および２Ａに示されている１つなど）。図１１Ａ−Ｃに見られるように、トランジットガードユニット３５０は、圧縮性モジュール２０のコア２８と同じ全体形状のハウジング３５４を有する。トランジットガードユニット３５０は、前述の状態表示ユニット９０のように機能する状態表示ユニット２９０を有し得る。それは、例えば、異なる色の複数のＬＥＤインジケータ（前記のＬＥＤインジケータのように）、または単一の多色ＬＥＤを備え得る。
【００６９】
トランジットガードユニット３５０は、トランジット１に圧縮性モジュール２０のコア２８の代わりに取り付けられるように適合される。従って、トランジットガードユニット３５０は、１つ以上のケーブル、パイプまたはワイヤのシールされた設置へのトランジット要素の組み立て中、トランジット１のトランジット要素の１つの部品−つまり圧縮性モジュール２０の１つのコア２８−に取って代わるまたはその代わりをする。
【００７０】
図４Ａ−Ｂ，５Ａ−Ｄおよび１２Ａ−Ｃの上記のトランジットガードユニット１５０，４５０の実施形態では、および場合により図１０Ａ−Ｃおよび１１Ａ−Ｃの上記のトランジットガードユニット２５０，３５０の実施形態でも、センサ１５２，４５２は、トランジット１からのトランジットガードユニット１５０，４５０の取り出しを検出することによって、トランジット１の潜在的にシールされていない状態を検出するように適合される。代替実施形態（場合により図１０Ａ−Ｃおよび１１Ａ−Ｃの上記のトランジットガードユニット２５０，３５０を含む）では、トランジットガードユニット５０のセンサ５２は、代わりに、トランジット１からのトランジット要素の存在または取り出しとして、トランジットのケーブル、パイプまたはワイヤの設置がシールされているかまたは少なくとも潜在的にシールされていないかを示す状態を検出するように適合され得る。そのようなトランジット要素は、例えばフレーム１０、圧縮性モジュール２０の１つ、ステープレート３０、圧縮ユニット（ウェッジ）４０、またはウェッジクリップ４２（図１−２Ｅ参照）、であってよい。
【００７１】
従って、一般に、トランジットガードユニット５０，１５０のセンサ５２，１５２，４５２は、以下のいずれかであってよい：圧力センサ、圧電センサ、電気スイッチ（例えば、センサ１５２）、磁気スイッチ、ホール効果センサ、またはフォトセンサ。考えられるセンサの種類のリストは、無制限である。さらに他のセンサの種類が、容易に当業者が気付くように使用され得る。
【００７２】
本発明によって提供され得る１つの追加的であるが有益な状況は、それが、第１の個々のトランジットの状態の検出された変更が、第１の個々のトランジットと関連する、別の個々のトランジットの状態の変更を自動的に生じさせ得るように、モニタリングシステム２でトランジット１ａ−１ｎ間の関連を扱うように構成され得ることである。関連するトランジットは、典型的に、同じ現場５またはその一部に設置されている、および、例えば、同じ火災区画に属する、トランジットであり得る。図６に見られる例示図では、トランジット１ａおよび１ｂは、それらが同じ現場５に属するので、関連し、一方、トランジット１ｎは、トランジット１ａおよび１ｂと関連しない。
【００７３】
従って、一実施形態では、中央モニタリングユニット７０は、個々のトランジット１ａ−１ｎ間の関連を保存するようにさらに構成されてよい。第１のトランジット１ａが第２の状態、赤色で登録されるときに、中央モニタリングユニット７０は、第１のトランジット１ａが少なくとも第２のトランジット１ｂと関連するかどうかを決定する。そうであるならば、中央モニタリングユニット７０は、実施に応じて、第３の状態、黄色にある、または第２の状態、赤色にあるように、第２のトランジット１ｂの強制登録を生じさせる。従って、このように、第２のトランジット１ｂのトランジットガードユニット１ｂ自体は、そのシール状態の変化を検出しなかったとしても、トランジットガードユニット１ａが、第１のトランジット１ａについてしたという事実が、第２のトランジット１ｂも、認定ユーザ４による検査およびそれに続く緑色へのリセットを必要とする状態（すなわち、実施に応じて、黄色または赤色）にさせるのに十分である。
【００７４】
代替実施形態では、中央モニタリングユニット７０の機能は、当該現場５で示され得るモバイル機器で実施される。
【００７５】
そのようなモバイル機器は、例えば、図７Ｂの検査デバイス８２のように、携帯端末、タブレット型コンピュータまたはラップトップ型コンピュータであってよい。そのような実施形態では、モニタリングシステム２にリモートサーバコンピュータが必ずしもある必要はなく、モニタリングシステム２は、むしろ、各トランジット１のトランジットガードユニット５０、および中央モニタリングユニット７０を実施する１つ以上のモバイル機器で、構成される。
【００７６】
認定ユーザ４は、その後ローカルユーザ３のように現場５に現れ、好ましくは、トランジット１が正常な状態であるようであると彼自身が検査した後で、モバイル機器を使用して黄色（または赤色）状態から緑色状態に切り替えるように特定のトランジットガードユニット５０（またはその状態表示ユニット９０／９０’）に指示を送り得る。ログインまたはパスワードが、そのような緑色状態への切り替えを指令する前に、モバイル機器によって実行されるソフトウェアで認定ユーザ４に必要であってよく、認定ユーザ４は、正しいログインをするまたは正しいパスワードを入力することによって、彼の認証を証明する。モバイル機器は、近距離無線通信インターフェース９６または、代替的に、通信インターフェース５６／９７を使用して、特定のトランジットガードユニット５０（またはその状態表示ユニット９０／９０’）と通信する。
【００７７】
代替的に、認定ユーザ４は、リモート装置からトークンを得てよく、このトークンは、特定のトランジット１について緑色の状態に切り替えるために、必要とされる。トークンは、例えば、モバイル機器を使用する認定ユーザ４によって捉えられたトランジット５０の検査データ（例えば、画像など）を得た後に、中央局機能によって発行され得る。
【００７８】
モバイル機器から中央局機能への検査データの交換、およびそれに続く中央局機能からモバイル機器へのトークンの交換は、モバイル機器が特定のトランジット１に存在するときに、モバイル機器がその時通信ネットワーク６０へのアクセスを有する場合、リアルタイム（オンライン）で行われ得る。
【００７９】
そうでなければ、認定ユーザ４は、トランジット１の検査データ（例えば、画像）をオフラインで捕捉し、通信ネットワーク６０へのアクセスが可能な場所に移動し、検査データを中央局機能にアップロードし、トークンを受け取り、その後、トランジット１に戻り、最後にモバイル機器を使用して特定のトランジット１について緑色の状態への切り替えを指令することができる。
【００８０】
前記の中央局機能は、全体的にまたは部分的に、中央モニタリングユニット７０によって、または代替的に別のリモートコンピューティング資源によって実施されてよく、場合によっては１人以上の人間のオペレーターによって作動されてよい。
【００８１】
発明は、その実施形態に関して詳しく記載された。しかしながら、当業者が容易に理解するように、他の実施形態も、添付の請求項に定められるように、発明の範囲内で同様に可能である。
【図１】
2020528539.tif 000003
【図２Ａ】
2020528539.tif 000004
【図２Ｂ】
2020528539.tif 000005
【図２Ｃ】
2020528539.tif 000006
【図２Ｄ】
2020528539.tif 000007
【図２Ｅ】
2020528539.tif 000008
【図３】
2020528539.tif 000009
【図４Ａ】
2020528539.tif 000010
【図４Ｂ】
2020528539.tif 000011
【図５Ａ】
2020528539.tif 000012
【図５Ｂ】
2020528539.tif 000013
【図５Ｃ】
2020528539.tif 000014
【図５Ｄ】
2020528539.tif 000015
【図６】
2020528539.tif 000016
【図７Ａ】
2020528539.tif 000017
【図７Ｂ】
2020528539.tif 000018
【図７Ｃ】
2020528539.tif 000019
【図８Ａ】
2020528539.tif 000020
【図８Ｂ】
2020528539.tif 000021
【図９】
2020528539.tif 000022
【図１０Ａ】
2020528539.tif 000023
【図１０Ｂ】
2020528539.tif 000024
【図１０Ｃ】
2020528539.tif 000025
【図１１Ａ】
2020528539.tif 000026
【図１１Ｂ】
2020528539.tif 000027
【図１１Ｃ】
2020528539.tif 000028
【図１２Ａ】
2020528539.tif 000029
【図１２Ｂ】
2020528539.tif 000030
【図１２Ｃ】
2020528539.tif 000031
【国際調査報告】
2020528539.tif 000032
2020528539.tif 000033
2020528539.tif 000034
2020528539.tif 000035